(57)【要約】  文字信号の重畳部（１０９）と解像度変換部（１１２）を有する映像表示装置において、映像を表示するための光量を最適な光量に調整することを目的とする。  重畳部（１０９）が、ビデオ信号に含まれる映像信号と文字信号とに基づいて重畳信号を生成し、制御部（１１４）が、所定のタイミングで制御信号を出力し、選択部（１１０）が、制御信号が出力されてきている間、重畳信号を選択し、制御信号が出力されてきていない間、映像信号を選択し、解像度変換部（１１２）が、選択部（１１０）が選択した信号によって表示される映像の解像度を所定の解像度へ変換し、表示部（１０４）が、解像度が変換された映像を表示し、制御部（１１４）が、制御信号を出力している間に解像度が変換された映像の明るさに応じて、表示部（１０４）が映像を表示するための光量を決定し、決定した光量をアイリス部（１１５）が維持する。
2012046339.tif 000002
【特許請求の範囲】
【請求項１】
光源から光を照明されることにより映像を表示する表示部と、前記光の光量を調整するアイリス部とを備える映像表示装置であって、
当該映像表示装置の外部から入力されるビデオ信号に含まれる、前記映像を表示するための映像信号と、該映像に重畳させる文字を表示するための文字信号とに基づいて、該映像に前記文字を重畳させた重畳信号を生成する重畳部と、
前記映像信号と前記重畳信号とのどちらか一方を選択する選択部と、
前記選択部が選択した信号によって表示される映像の解像度を、当該映像表示装置が該映像を表示するための解像度へ変換する解像度変換部と、
前記選択部へ前記映像信号を選択させるための制御信号を、あらかじめ設定されたタイミングで出力する制御部とを有し、
前記表示部は、前記解像度変換部が解像度を変換した映像を表示し、
前記選択部は、前記制御部から前記制御信号が出力されてきている間、前記映像信号を選択し、
前記制御部は、前記制御信号を出力している間に前記解像度変換部が解像度を変換した映像の明るさに応じて前記光量を決定し、前記制御信号の出力状態に関わらずに前記決定した光量が維持されるように前記アイリス部を制御する映像表示装置。
【請求項２】
請求項１に記載の映像表示装置において、
前記制御部は、前記明るさが明るいほど、前記光量を増加させることを特徴とする映像表示装置。
【請求項３】
請求項１に記載の映像表示装置において、
前記制御部は、前記制御信号を周期的なタイミングで出力することを特徴とする映像表示装置。
【請求項４】
請求項３に記載の映像表示装置において、
前記制御部は、前記制御信号を出力する時間を、該制御信号を出力していない時間よりも短い時間とすることを特徴とする映像表示装置。
【請求項５】
請求項１に記載の映像表示装置において、
前記制御部は、当該映像表示装置に搭載されたランプの光量を決定することを特徴とする映像表示装置。
【請求項６】
請求項１に記載の映像表示装置において、
前記重畳部は、前記映像信号と前記文字信号であるＣｌｏｓｅｄ  Ｃａｐｔｉｏｎ信号とに基づいて、前記重畳信号を生成することを特徴とする映像表示装置。
【請求項７】
請求項１に記載の映像表示装置において、
当該映像表示装置は、プロジェクタであることを特徴とする映像表示装置。
【請求項８】
映像を表示するための光源からの光の光量を制御する光量制御方法であって、
外部から入力されるビデオ信号に含まれる、前記映像を表示するための映像信号と、該映像に重畳させる文字を表示するための文字信号とに基づいて、該映像に前記文字を重畳させた重畳信号を生成する処理と、
あらかじめ設定された時間において前記映像信号を選択し、それ以外の時間において前記重畳信号を選択する処理と、
前記選択した信号によって表示される映像の解像度を所定の解像度へ変換する処理と、
前記解像度を変換した映像を表示する処理と、
前記時間に前記解像度を変換した映像の明るさに応じて、該映像を表示するための前記光量を決定する処理と、
前記決定した光量を維持するように該光量を制御する処理とを行う光量制御方法。
【請求項９】
光源からの光によって映像を表示する装置に、
外部から入力されるビデオ信号に含まれる、前記映像を表示するための映像信号と、該映像に重畳させる文字を表示するための文字信号とに基づいて、該映像に前記文字を重畳させた重畳信号を生成する手順と、
あらかじめ設定された時間において前記映像信号を選択し、それ以外の時間において前記重畳信号を選択する手順と、
前記選択した信号によって表示される映像の解像度を所定の解像度へ変換する手順と、
前記解像度を変換した映像を表示する手順と、
前記時間に前記解像度を変換した映像の明るさに応じて、該映像を表示するための前記光の光量を決定する手順と、
前記決定した光量を維持するように該光量を制御する手順とを実行させるためのプログラム。
【発明の詳細な説明】
【技術分野】
【０００１】
本発明は、映像を表示する映像表示装置、光量制御方法およびプログラムに関する。
【背景技術】
【０００２】
近年、映像を表示する装置には、入力された映像の明るさに応じて、その映像を表示するために当該装置に具備されている光源（例えば、ランプ）の光量を制御（調整）する機能が搭載されたものがある（例えば、特許文献１参照。）。【０００３】
この機能は、当該装置として活用されるプロジェクタにも搭載されており、「アイリス」と呼ばれる機能である。アイリスは、明るい映像を表示させるには、ランプからの光量を増加させ、一方、暗い映像を表示させるには、ランプからの光量を減少させるという制御を行う。これにより、プロジェクタが持つコントラスト性能を向上させることができる。【０００４】
図１は、アイリスが搭載された一般的なプロジェクタの内部構成の一例を示す図である。【０００５】
図１に示した映像表示装置であるプロジェクタ１０００には、表示部１００４と、ＡＤコンバータ１００５と、レシーバ１００６と、ビデオデコーダ１００７と、ＣＣデコーダ１００８と、ＣＣ重畳部１００９と、映像選択部１０１１と、解像度変換部１０１２と、映像検出部１０１３と、アイリス制御部１０１４と、アイリス部１０１５と、光源１０１６とが設けられている。【０００６】
ＡＤコンバータ１００５は、プロジェクタ１０００の外部端子であるアナログ映像信号入力端子１００１に入力されたアナログ映像信号をデジタルＲＧＢ信号へ変換し、映像選択部１０１１へ出力する。ここで、アナログ映像信号入力端子１００１に入力されるアナログ映像信号は、アナログＲＧＢ信号またはアナログコンポーネント信号である。【０００７】
レシーバ１００６は、プロジェクタ１０００の外部端子であるデジタル映像信号入力端子１００２に入力されたデジタル映像信号をＲＧＢ信号へ変換し、映像選択部１０１１へ出力する。ここで、デジタル映像信号入力端子１００２に入力されるデジタル映像信号は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）信号、Ｄｉｓｐｌａｙ  Ｐｏｒｔ信号、ＤＶＩ−Ｄ（Ｄｉｇｉｔａｌ  Ｖｉｓｕａｌ  Ｉｎｔｅｒｆａｃｅ  Ｄｉｇｉｔａｌ）で送受信されるデジタル信号、ＳＤＩ（Ｓｅｒｉａｌ  Ｄｉｇｉｔａｌ  Ｉｎｔｅｒｆａｃｅ）の規格のデジタル信号である。【０００８】
ビデオデコーダ１００７は、プロジェクタ１０００の外部端子であるビデオ信号入力端子１００３に入力されたビデオ信号をＲＧＢ信号へ変換し、ＣＣ重畳部１００９へ出力する。ここで、ビデオ信号入力端子１００３に入力されるビデオ信号は、コンポジットビデオ信号やＳ信号である。【０００９】
ＣＣデコーダ１００８は、ビデオ信号入力端子１００３に入力されたビデオ信号が、映像を表示するための映像信号と、当該映像に重畳させる文字を表示するためのＣＣ（Ｃｌｏｓｅｄ  Ｃａｐｔｉｏｎ）信号（文字信号）とが多重されているものである場合、ＲＧＢ別々にＣＣの表示位置を示す１ビットの信号をＣＣ重畳部１００９へ出力する。このＣＣ信号とは、米国で聴覚障害者向けの字幕（ｃａｐｔｉｏｎ）を放送するために開発・規格化されたものであり、米国で採用されている放送方式であるＮＴＳＣ（Ｎａｔｉｏｎａｌ  Ｔｅｌｅｖｉｓｉｏｎ  Ｓｔａｎｄａｒｄ  Ｃｏｍｍｉｔｔｅｅ）方式の空き信号箇所に入っている信号である。【００１０】
ＣＣ重畳部１００９は、ビデオデコーダ１００７から出力されてきた映像信号と、ＣＣデコーダ１００８から出力されてきたＣＣ信号とを重畳する重畳部である。【００１１】
図２は、図１に示したＣＣ重畳部１００９の内部構成の一例を示す図である。【００１２】
図１に示したＣＣ重畳部１００９には図２に示すように、選択部１０９１と、あらかじめ設定された固定レベルであるＣＣ表示レベル１０９２とが設けられている。【００１３】
選択部１０９１は、ＣＣデコーダ１００８からＣＣ信号が出力されてこない時、ビデオデコーダ１００７から出力されてきた映像信号を選択してＲＧＢごとに映像選択部１０１１へ出力する。また、選択部１０９１は、ＣＣデコーダ１００８からＣＣ信号が出力されてきている時、ＣＣ表示レベル１０９２を選択してＲＧＢごとに映像選択部１０１１へ出力する。【００１４】
このようにＣＣ重畳部１００９は、映像信号とＣＣ信号とに基づいて、映像にＣＣ（文字）を重畳させた重畳信号を生成して映像選択部１０１１へ出力する。【００１５】
映像選択部１０１１は、ＡＤコンバータ１００５から出力されてきた映像信号と、レシーバ１００６から出力されてきた映像信号と、ＣＣ重畳部１００９から出力されてきた重畳信号とのいずれか１つを選択して出力する。具体的には、映像選択部１０１１は、デジタルＲＧＢ信号がＡＤコンバータ１００５から出力されてきた場合、当該デジタルＲＧＢ信号を選択して解像度変換部１０１２へ出力する。また、映像選択部１０１１は、デジタルＲＧＢ信号がレシーバ１００６から出力されてきた場合、当該デジタルＲＧＢ信号を選択して解像度変換部１０１２へ出力する。また、映像選択部１０１１は、重畳信号がＣＣ重畳部１００９から出力されてきた場合、当該重畳信号を選択して解像度変換部１０１２へ出力する。【００１６】
解像度変換部１０１２は、映像選択部１０１１から出力されてきた信号の解像度を、表示部１００４が当該信号を映像として表示する際の解像度へ変換する。つまり、映像選択部１０１１から出力されてきた信号には様々な解像度を持った映像信号が含まれているため、それらを液晶パネルやＤＭＤ（Ｄｉｇｉｔａｌ  Ｍｉｃｒｏｍｉｒｒｏｒ  Ｄｅｖｉｃｅ）等の表示部１００４に見合った解像度へ変換する。これにより、解像度変換部１０１２にて変換された映像信号の解像度は、１種類の固定解像度となる。そのため、映像信号の解析情報として、ヒストグラムやＡＰＬ（Ａｖｅｒａｇｅ  Ｐｉｃｔｕｒｅ  Ｌｅｖｅｌ）を検出する場合、解像度変換部１０１２にて解像度が変換された固定解像度の映像信号からこれらの情報を検出することにより、これらの検出回路が簡単になり、都合が良い。【００１７】
また、解像度変換部１０１２は、解像度を変換した映像信号を、表示部１００４と、映像検出部１０１３とへ出力する。【００１８】
表示部１００４は、解像度変換部１０１２から出力されてきた映像信号を映像として表示する。このとき、表示部１００４は、光源１０１６からの光により照明されて、当該映像を表示する。【００１９】
映像検出部１０１３は、解像度変換部１０１２から出力されてきた映像信号から、ヒストグラムやＡＰＬ等の情報を検出し、検出した情報をアイリス制御部１０１４へ出力する。【００２０】
アイリス制御部１０１４は、映像検出部１０１３から出力されてきたヒストグラムやＡＰＬ等の情報に基づいて、表示部１００４が映像を表示するための光源１０１６の光量が最適になるように、アイリス部１０１５を制御する制御部である。例えば、アイリス制御部１０１４は、ヒストグラムやＡＰＬ等の情報が、明るい映像を示すものである場合、光源１０１６の光量を増加させるようにアイリス部１０１５へ指示する。一方、アイリス制御部１０１４は、ヒストグラムやＡＰＬ等の情報が、暗い映像を示すものである場合、光源１０１６の光量を減少させるようにアイリス部１０１５へ指示する。このように、アイリス制御部１０１４は、プロジェクタ１０００が持つコントラスト性能が向上するように、アイリス部１０１５を制御する。【００２１】
また、光量調整用絞り装置であるアイリス部１０１５は、アイリス制御部１０１４から指示された明るさに、光源１０１６からの照明光の光量を制御（調整）する。【００２２】
光源１０１６は、表示部１００４が映像を表示するためにプロジェクタ１０００に搭載されたランプであり、その光量はアイリス部１０１５によって制御される。【００２３】
なお、図１では、アナログ映像信号入力端子１００１と、デジタル映像信号入力端子１００２と、ビデオ信号入力端子１００３とを、別個の端子として示したが、共通の端子で使用可能なものである場合、共通端子にそれぞれの信号を入力させ、その後、ＡＤコンバータ１００５、レシーバ１００６、ビデオデコーダ１００７およびＣＣデコーダ１００８へ分岐させるものであっても良い。【００２４】
以上説明したように、アイリスを搭載したプロジェクタにおいては、入力される映像信号のヒストグラムやＡＰＬの情報をもとに、ランプの光量を調節することで、コントラストを向上させることが可能になる。
【先行技術文献】
【特許文献】
【００２５】
【特許文献１】特開２００９−５８６５６号公報
【発明の概要】
【発明が解決しようとする課題】
【００２６】
図１に示したビデオ信号入力端子１００３に入力されるビデオ信号には、上述したように、文字信号としてＣＣ信号が重畳されることがある。【００２７】
このＣＣ信号が重畳されたビデオ信号を表示する場合、ＣＣ重畳部１００９にて重畳されたＣＣ信号の部分も、映像選択部１０１１以降では映像信号の一部として扱われる。そのため、映像検出部１０１３では、ＣＣ信号が重畳された状態の映像信号からヒストグラムやＡＰＬを検出することになる。【００２８】
したがって、入力されたビデオ信号の元の映像が同じ場合であっても、その映像にＣＣ信号が重畳されているかいないかによって、ヒストグラムやＡＰＬ検出の結果が異なってしまうという問題点がある。【００２９】
これにより、プロジェクタから投射している元の映像が同じ場合であっても、ＣＣ信号が重畳されているかいないかで、アイリスによるランプの光量の調整具合が変わってしまい、投射されている映像に支障をきたしてしまうことになる。【００３０】
例えば、ＣＣ信号の重畳を、映像信号からヒストグラムやＡＰＬを検出した後で行うことが考えられるが、通常、ビデオ信号は固定解像度であり、その解像度は、プロジェクタ１０００の表示部１００４の解像度よりも小さいため、必ず解像度変換部１０１２にて解像度を変換した後に、ヒストグラムやＡＰＬを検出しなければならない。また、ＣＣ信号は、ビデオ信号のブランキングエリアで送られてくるため、解像度を変換していない元のビデオ信号からＣＣ信号をデコードする必要がある。したがって、ＣＣ重畳部１００９は、必ず解像度変換部１０１２よりも前段に設けなければばらない。【００３１】
また、例えば、映像信号とＣＣ信号とについて別個に解像度の変換を行い、ヒストグラムやＡＰＬを検出した後にそれらを重畳することも考えられるが、その場合、回路規模の大きな解像度変換部１０１２を２つ設けなければならなくなり、装置の規模が大きくなってしまう。【００３２】
また、例えば、映像検出部１０１３をＣＣ重畳部１００９のすぐ後段に設けることも考えられるが、この場合、アナログ映像信号およびデジタル映像信号が入力された場合の映像検出用に、映像検出部１０１３を図１に示した位置にも残しておく必要があり、回路規模を増大させてしまうことになる。【００３３】
本発明の目的は、上述した課題を解決する映像表示装置、光量制御方法およびプログラムを提供することである。
【課題を解決するための手段】
【００３４】
本発明の映像表示装置は、
光源から光を照明されることにより映像を表示する表示部と、前記光の光量を調整するアイリス部とを備える映像表示装置であって、
当該映像表示装置の外部から入力されるビデオ信号に含まれる、前記映像を表示するための映像信号と、該映像に重畳させる文字を表示するための文字信号とに基づいて、該映像に前記文字を重畳させた重畳信号を生成する重畳部と、
前記映像信号と前記重畳信号とのどちらか一方を選択する選択部と、
前記選択部が選択した信号によって表示される映像の解像度を、当該映像表示装置が該映像を表示するための解像度へ変換する解像度変換部と、
前記選択部へ前記映像信号を選択させるための制御信号を、あらかじめ設定されたタイミングで出力する制御部とを有し、
前記表示部は、前記解像度変換部が解像度を変換した映像を表示し、
前記選択部は、前記制御部から前記制御信号が出力されてきている間、前記映像信号を選択し、
前記制御部は、前記制御信号を出力している間に前記解像度変換部が解像度を変換した映像の明るさに応じて前記光量を決定し、前記制御信号の出力状態に関わらずに前記決定した光量が維持されるように前記アイリス部を制御する。【００３５】
また、本発明の光量制御方法は、
映像を表示するための光源からの光の光量を制御する光量制御方法であって、
外部から入力されるビデオ信号に含まれる、前記映像を表示するための映像信号と、該映像に重畳させる文字を表示するための文字信号とに基づいて、該映像に前記文字を重畳させた重畳信号を生成する処理と、
あらかじめ設定された時間において前記映像信号を選択し、それ以外の時間において前記重畳信号を選択する処理と、
前記選択した信号によって表示される映像の解像度を所定の解像度へ変換する処理と、
前記解像度を変換した映像を表示する処理と、
前記時間に前記解像度を変換した映像の明るさに応じて、該映像を表示するための前記光量を決定する処理と、
前記決定した光量を維持するように該光量を制御する処理とを行う。【００３６】
また、本発明のプログラムは、
光源からの光によって映像を表示する装置に実行させるためのプログラムであって、
外部から入力されるビデオ信号に含まれる、前記映像を表示するための映像信号と、該映像に重畳させる文字を表示するための文字信号とに基づいて、該映像に前記文字を重畳させた重畳信号を生成する手順と、
あらかじめ設定された時間において前記映像信号を選択し、それ以外の時間において前記重畳信号を選択する手順と、
前記選択した信号によって表示される映像の解像度を所定の解像度へ変換する手順と、
前記解像度を変換した映像を表示する手順と、
前記時間に前記解像度を変換した映像の明るさに応じて、該映像を表示するための前記光の光量を決定する手順と、
前記決定した光量を維持するように該光量を制御する手順とを実行させる。
【発明の効果】
【００３７】
以上説明したように、本発明においては、映像を表示するための光量を、当該映像の明るさに応じて、最適な光量に調整することができる。
【図面の簡単な説明】
【００３８】
【図１】アイリスが搭載された一般的なプロジェクタの内部構成の一例を示す図である。
【図２】図１に示したＣＣ重畳部の内部構成の一例を示す図である。
【図３】本発明の映像表示装置の実施の一形態を示す図である。
【図４】図３に示したプロジェクタの内部構成の一例を示す図である。
【図５】図４に示したアイリス制御部から出力される制御信号の出力タイミングの一例を説明するためのタイムチャートである。
【図６】本形態における光量制御方法を説明するためのフローチャートである。
【発明を実施するための形態】
【００３９】
以下に、本発明の実施の形態について図面を参照して説明する。
【００４０】
図３は、本発明の映像表示装置の実施の一形態を示す図である。
【００４１】
本形態は図３に示すように、プロジェクタ１００と、スクリーン２００とから構成されている。
【００４２】
また、プロジェクタ１００には、アナログ映像信号入力端子１０１と、デジタル映像信号入力端子１０２と、ビデオ信号入力端子１０３と、表示部１０４とが設けられている。
【００４３】
プロジェクタ１００は、アナログ映像信号入力端子１０１、またはデジタル映像信号入力端子１０２、またはビデオ信号入力端子１０３から入力された映像信号を映像として表示部１０４からスクリーン２００へ表示（投影）する映像表示装置である。
【００４４】
図４は、図３に示したプロジェクタ１００の内部構成の一例を示す図である。
【００４５】
図３に示したプロジェクタ１００には図４に示すように、アナログ映像信号入力端子１０１と、デジタル映像信号入力端子１０２と、ビデオ信号入力端子１０３と、表示部１０４と、ＡＤコンバータ１０５と、レシーバ１０６と、ビデオデコーダ１０７と、ＣＣデコーダ１０８と、ＣＣ重畳部１０９と、選択部１１０と、映像選択部１１１と、解像度変換部１１２と、映像検出部１１３と、アイリス制御部１１４と、アイリス部１１５と、光源１１６とが設けられている。
【００４６】
アナログ映像信号入力端子１０１、デジタル映像信号入力端子１０２、ビデオ信号入力端子１０３、表示部１０４、ＡＤコンバータ１０５、レシーバ１０６、ＣＣデコーダ１０８、ＣＣ重畳部１０９、解像度変換部１１２、映像検出部１１３、アイリス部１１５および光源１１６は、図１に示したアナログ映像信号入力端子１００１、デジタル映像信号入力端子１００２、ビデオ信号入力端子１００３、表示部１００４、ＡＤコンバータ１００５、レシーバ１００６、ＣＣデコーダ１００８、ＣＣ重畳部１００９、解像度変換部１０１２、映像検出部１０１３、アイリス部１０１５および光源１０１６とそれぞれ同じものである。
【００４７】
ビデオデコーダ１０７は、ビデオ信号入力端子１０３に入力されたビデオ信号をＲＧＢ信号へ変換し、ＣＣ重畳部１０９と選択部１１０とへ出力する。ここで、ビデオ信号入力端子１０３に入力されるビデオ信号は、コンポジットビデオ信号やＳ信号である。
【００４８】
選択部１１０は、ビデオデコーダ１０７から出力されてきた映像信号と、ＣＣ重畳部１０９から出力されてきた重畳信号とのどちらか一方を、アイリス制御部１１４から出力されてくる制御信号に基づいて、選択して映像選択部１１１へ出力する。具体的には、選択部１１０は、アイリス制御部１１４から制御信号が出力されてきている間は、ビデオデコーダ１０７から出力されてきた映像信号を選択する。また、選択部１１０は、アイリス制御部１１４から制御信号が出力されてきていない間は、ＣＣ重畳部１０９から出力されてきた重畳信号を選択する。
【００４９】
映像選択部１１１は、ＡＤコンバータ１０５から出力されてきた映像信号と、レシーバ１０６から出力されてきた映像信号と、選択部１１０から出力されてきた信号とのいずれか１つを選択して出力する。具体的には、映像選択部１１１は、デジタルＲＧＢ信号がＡＤコンバータ１０５から出力されてきた場合、当該デジタルＲＧＢ信号を選択して解像度変換部１１２へ出力する。また、映像選択部１１１は、デジタルＲＧＢ信号がレシーバ１０６から出力されてきた場合、当該デジタルＲＧＢ信号を選択して解像度変換部１１２へ出力する。また、映像選択部１１１は、映像信号または重畳信号が選択部１１０から出力されてきた場合、当該映像信号または重畳信号を選択して解像度変換部１１２へ出力する。
【００５０】
アイリス制御部１１４は、選択部１１０へ映像信号を選択させるための制御信号を、あらかじめ設定されたタイミングで出力する。
【００５１】
また、アイリス制御部１１４は、映像検出部１１３から出力されてきたヒストグラムやＡＰＬ等の情報に基づいて、表示部１０４が映像を表示するための光源１１６からの光量が最適になるように、アイリス部１１５を制御する制御部である。具体的には、アイリス制御部１１４は、制御信号を出力している間に映像検出部１１３から出力されてきたヒストグラムやＡＰＬ等の情報に基づいて表示部１０４が映像を表示するための光源１１６からの最適な光量を決定し、また、決定した光量が維持されるようにアイリス部１１５を制御する。
【００５２】
例えば、アイリス制御部１１４は、制御信号を出力している間のヒストグラムやＡＰＬ等の情報が、明るい映像を示すものである場合、光源１１６からの光量を増加させるようにアイリス部１１５へ指示する。一方、アイリス制御部１１４は、制御信号を出力している間のヒストグラムやＡＰＬ等の情報が、暗い映像を示すものである場合、光源１１６からの光量を減少させるようにアイリス部１１５へ指示する。このように、アイリス制御部１１４は、制御信号を出力している間に、プロジェクタ１００が持つコントラスト性能が向上するような光量を決定し、決定した光量をアイリス部１１５へ通知する。また、アイリス制御部１１４は、制御信号を出力していない間は、現在のアイリスの状態を維持するようにアイリス部１１５を制御する。つまり、アイリス制御部１１４は、制御信号の出力状態に関わらず、決定した光量が維持されるように、アイリス部１１５を制御する。
【００５３】
ここで、この制御信号を出力するタイミングについて説明する。
【００５４】
図５は、図４に示したアイリス制御部１１４から出力される制御信号の出力タイミングの一例を説明するためのタイムチャートである。
【００５５】
図５に示すように、アイリス制御部１１４から制御信号をある時間ｔ１（例えば、映像信号の数フレーム時間）だけ出力し、この動作をある周期的な時間間隔ｔ２（例えば、１秒程度、ｔ２に対するｔ１の割合は１／１０程度）ごとに繰り返す。
【００５６】
このような時間で制御信号がアイリス制御部１１４から出力されると、選択部１１０から出力される映像信号は、ｔ２時間ごとにｔ１時間だけ、ＣＣ重畳部１０９から出力される、ＣＣ信号が重畳されたＲＧＢ映像信号（重畳信号）から、ビデオデコーダ１０７から出力される、ＣＣ信号が重畳されていないＲＧＢ映像信号へ切り換えられる。このように選択部１１０における信号の選択が行われても、ｔ１時間とｔ２時間とをそれぞれ上述した程度の時間に設定しておけば、プロジェクタ１００の投射映像を見ている人間によって、投射映像からＣＣ信号がｔ１時間だけ瞬間的に消えていることが認識されることはないに等しい。
【００５７】
一方、プロジェクタ１００内部では、アイリス制御部１１４において、ＣＣ信号が重畳されていない映像信号からのヒストグラムやＡＰＬの検出結果のみに基づいて、光量を決定することとなる。そのため、そのときのＣＣ信号の重畳の有無に影響されずにアイリス部１１５を制御することができ、投射する映像に対して常に最適なランプの光量になるよう制御することができる。
【００５８】
このように、ＣＣ信号が重畳されたビデオ信号を表示する場合、映像検出部１１３におけるヒストグラムやＡＰＬの検出結果を取り込んで光量を決定するのは、ＣＣ信号が重畳されていないときのみとなる。
【００５９】
以下に、本形態における光量制御方法について説明する。なお、ここでは、本発明の係わる、プロジェクタ１００のビデオ信号入力端子１０３からＣＣ信号が含まれるビデオ信号が入力された場合の処理について説明する。
【００６０】
図６は、本形態における光量制御方法を説明するためのフローチャートである。
【００６１】
まず、ステップ１にて、ＣＣ重畳部１０９にて、映像信号とＣＣ信号とを重畳させた重畳信号が生成される。生成された重畳信号は、ＣＣ重畳部１０９から選択部１１０へ出力される。
【００６２】
また、ステップ２にて、選択部１１０によって、アイリス制御部１１４から制御信号が出力されてきているかどうかが判定される。
【００６３】
アイリス制御部１１４から制御信号が出力されてきている場合、つまり、上述したｔ２時間のうちｔ１の時間である場合、ステップ３にて、ビデオデコーダ１０７から出力されてきたＲＢＧ映像信号が選択部１１０によって選択され、選択された映像信号が映像選択部１１１へ出力される。
【００６４】
すると、選択部１１０から出力されてきた映像信号が映像選択部１１１にて選択され、ステップ４にて、選択された映像信号の解像度が、解像度変換部１１２によって、表示部１０４にて表示を行うための解像度へ変換される。
【００６５】
解像度が変換された映像信号は、解像度変換部１１２から映像検出部１１３へ出力され、映像検出部１１３にて、当該映像信号からヒストグラムやＡＰＬ等の情報が検出され、検出した情報が映像検出部１１３からアイリス制御部１１４へ出力される。
【００６６】
すると、ステップ５にて、アイリス制御部１１４によって、映像検出部１１３から出力されてきた情報に基づいて、光量が決定され、決定した光量がアイリス部１１５へ通知される。そして、アイリス部１１５によって光源１１６からの光量が決定された光量へ制御されて、ステップ６にて、当該光量が制御された光源１１６を用いて、解像度変換部１１２から出力された映像が表示部１０４によって表示される。
【００６７】
一方、ステップ２にて、アイリス制御部１１４から制御信号が出力されてきていない場合、つまり、上述したｔ２時間のうちｔ１以外の時間である場合、ステップ７にて、ＣＣ重畳部１０９から出力されてきた重畳信号が選択部１１０によって選択され、選択された重畳信号が映像選択部１１１へ出力される。
【００６８】
すると、選択部１１０から出力されてきた重畳信号が映像選択部１１１にて選択され、ステップ８にて、選択された重畳信号の解像度が、解像度変換部１１２によって、表示部１０４にて表示を行うための解像度へ変換される。
【００６９】
そして、ステップ５のような光量の決定を行わずに、ステップ５にて決定されて維持されている現在の光量で、解像度変換部１１２から出力された映像が、ステップ６にて表示部１０４によって表示される。
【００７０】
このように、ＣＣ信号が重畳されていない映像からのヒストグラムやＡＰＬの検出結果のみに基づいて光量を決定することで、そのときのＣＣ信号の重畳の有無に影響されずにアイリス部１１５を制御することができ、投射する映像に対して常に最適なランプの光量になるよう制御することができる。
【００７１】
上述したプロジェクタ１００に設けられた各構成要素が行う処理は、目的に応じてそれぞれ作製された論理回路で行うようにしても良い。また、処理内容を手順として記述したコンピュータプログラム（以下、プログラムと称する）をプロジェクタ１００にて読取可能な記録媒体に記録し、この記録媒体に記録されたプログラムをプロジェクタ１００に読み込ませ、実行するものであっても良い。プロジェクタ１００にて読取可能な記録媒体とは、フロッピー（登録商標）ディスク、光磁気ディスク、ＤＶＤ、ＣＤなどの移設可能な記録媒体の他、プロジェクタ１００に内蔵されたＲＯＭ、ＲＡＭ等のメモリやＨＤＤ等を指す。この記録媒体に記録されたプログラムは、プロジェクタ１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００７２】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【図１】
2012046339.tif 000003
【図２】
2012046339.tif 000004
【図３】
2012046339.tif 000005
【図４】
2012046339.tif 000006
【図５】
2012046339.tif 000007
【図６】
2012046339.tif 000008
【国際調査報告】
2012046339.tif 000009
2012046339.tif 000010